(57)【特許請求の範囲】
【請求項１】
往復駆動される筐体と、
この筐体に保持されて原稿の画像面を照射する光源と、
原稿の画像面で反射された反射光を受光してアナログ画像信号として取り出す光電変換素子とを有する画像読取装置において、
前記光源へ駆動電圧を印加するためのフレキシブル配線基板を有し、前記筐体へのアースを前記フレキシブル配線基板を用いて行う構成とし、
前記フレキシブル配線基板中のアースパターンが前記筐体に接続される構成とし、
かつ、前記フレキシブル配線基板の前記筐体への取付箇所に補強板が取り付けられ、前記補強板の前記筐体への取付面側に回り込んで露出されたアース部が前記アースパターンに連続して形成されていることを特徴とする画像読取装置。
【発明の詳細な説明】
【０００１】
【発明の属する技術分野】
本発明は、原稿の画像面を照射する光源と、原稿の画像面で反射された反射光を受光する光電変換素子とを備えた画像読取装置に関する。
【０００２】
【従来の技術】
従来、画像読取装置に設けられている光源に印加される駆動電圧の波形は正弦波であり、光源安定器などの駆動電圧生成部からフレキシブル配線基板を介して光源に駆動電圧を印加しても、ＥＭＩ（Electro Magnetic Interference）の問題は生じない。
【０００３】
しかし最近では、光源の光量を大きくするため、光源にパルス形状の駆動電圧を印加する方式が普及している。この方式では、印加されるパルス状の駆動電圧は波形変動が急峻であるので、駆動電圧の印加時に電波ノイズが生じやすくなり、電波ノイズのレベルをＥＭＩ規格内に抑えることが困難である。
【０００４】
そこで、光源に対してパルス状の駆動電圧を印加する方式の画像読取装置においては、光源を保持する筐体（キャリッジ）に駆動電圧生成部も一緒に取り付け、光源と駆動電圧生成部との距離を短くすることにより、電波ノイズの発生を抑えるようにしている。
【０００５】
【発明が解決しようとする課題】
しかし、筐体に駆動電圧生成部を取り付けると、駆動電圧生成部や光源を含んだ筐体全体の重量がアップし、この筐体を駆動させるためのモータの負荷が大きくなる。このため、筐体を駆動させるためのモータとしてトルクの大きいものが求められるようになり、トルクの大きなモータを使用することによるモータ自体のコスト、モータを駆動させるための消費電力のコストがアップする。
【０００６】
本発明の目的は、コストアップさせることなくＥＭＩ対策を行うことができる画像読取装置を得ることである。
【０００７】
【課題を解決するための手段】
請求項１記載の発明は、
往復駆動される筐体と、
この筐体に保持されて原稿の画像面を照射する光源と、
原稿の画像面で反射された反射光を受光してアナログ画像信号として取り出す光電変換素子とを有する画像読取装置において、
前記光源へ駆動電圧を印加するためのフレキシブル配線基板を有し、前記筐体へのアースを前記フレキシブル配線基板を用いて行う構成とし、
前記フレキシブル配線基板中のアースパターンが前記筐体に接続される構成とし、
かつ、前記フレキシブル配線基板の前記筐体への取付箇所に補強板が取り付けられ、前記補強板の前記筐体への取付面側に回り込んで露出されたアース部が前記アースパターンに連続して形成されていることを特徴とする。
【０００８】
したがって、フレキシブル配線基板を介して光源に駆動電圧を印加したときに電波ノイズが発生すると、その電波ノイズはフレキシブル配線基板のアース部分から光源を保持する筐体、さらには、この筐体に導通されている装置本体などへ逃げるので、光源周りのＥＭＩ対策を行うことができる。そして、ＥＭＩ対策のために、駆動電圧生成部を光源に近接させて筐体上に取り付けるという必要がないので、筐体を駆動させる場合にトルクの小さなモータを使用することができ、モータ自体のコストアップ、モータを駆動させるための消費電力のコストアップを抑えることができる。即ち、本発明の画像読取装置によれば、コストアップさせることなくＥＭＩ対策を行うことができる。
【０００９】
また、本発明では、前記フレキシブル配線基板中のアースパターンが前記筐体に接続されている。
【００１０】
したがって、アースパターンの筐体への接続部分から電波ノイズをアース側へ逃がすことができる。
【００１１】
また、本発明では、前記フレキシブル配線基板の前記筐体への取付箇所に補強板が取り付けられ、前記補強板の前記筐体への取付面側に回り込んで露出されたアース部が前記アースパターンに連続して形成されている。
【００１２】
したがって、補強版の箇所でフレキシブル配線基板を筐体に取り付けると、その取り付けに伴ってアース部が筐体に接触し、しかも、その接触は、フレキシブル配線基板の筐体への取り付けにより強固なものとなり、アースを確実に行える。
【００１５】
【発明の実施の形態】
本発明の一実施の形態を図面に基づいて説明する。図１は画像読取装置の要部を示す分解斜視図、図２は画像読取装置の一部であるフレキシブル配線基板を示すもので、（ａ）は平面図、（ｂ）は正面図、図３はフレキシブル配線基板の一端側に取り付けられている補強板を示す平面図、図４はフレキシブル配線基板の他端側に取り付けられている補強板を示す平面図、図５はフレキシブル配線基板中のアースパターンに連続して形成されたアース部を展開して示す平面図、図６は図２（ａ）におけるＡ−Ａ線断面部を示す模式図、図７は図２（ａ）におけるＢ−Ｂ線断面部を示す模式図である。
【００１６】
この画像読取装置は、スキャナーやファクシミリ又は複写機などに用いられるもので、コンタクトガラス（図示せず）と平行に配置されたレール（図示せず）上に載置され、モータ（図示せず）によりそのレール上を往復駆動される筐体１を有している（図１参照）。この筐体１には、原稿の画像面を照射する光源２、原稿の画像面で反射された反射光を反射させるミラー３が取り付けられている。ミラー３で反射された反射光は、この筐体１と同一方向へ２：１の速度比で走行する２つめの筐体（図示せず）に取り付けられた２つのミラー（図示せず）により順次反射され、光電変換素子（図示せず）により受光され、アナログ画像信号として出力される。
【００１７】
また、この画像読取装置は、光源２に駆動電圧を印加するために用いられるフレキシブル配線基板４を有している。
【００１８】
フレキシブル配線基板４の一端側は画像読取装置のベース基板（図示せず）へネジ５により取り付けられ、フレキシブル配線基板４の他端側は筐体１へストッパ６で取り付けられている。
【００１９】
なお、フレキシブル配線基板４の取り付けを行う部分には機械的強度が要求される。この機械的強度を確保するため、フレキシブル配線基板４の一端側には剛性のある補強板７が貼り付けられ、フレキシブル配線基板４の他端側には剛性のある補強板８が貼り付けられている。
【００２０】
フレキシブル配線基板４の一端側には、一端にコネクタ９を備えたハーネス１０の他端が接続されており、コネクタ９が光源安定器などの駆動電圧生成部（図示せず）に接続される。駆動電圧生成部では、光源２に対して印加するパルス形状の駆動電圧が生成される。
【００２１】
フレキシブル配線基板４の他端側には、補強板８を介してコネクタ１１がハンダ付けされており、このコネクタ１１と光源２に設けられているコネクタ１２とが接続される。
【００２２】
フレキシブル配線基板４には高圧パターン１３とアースパターン１４とが設けられ、これらの高圧パターン１３とアースパターン１４とが表面コート層１５，１６で被覆されている（図６参照）。さらに、このフレキシブル配線基板４には、アースパターン１４と一体にアース部１７が形成されており、このアース部１７は、補強板８の筐体１への取付面側へ回り込むように折り曲げられ、露出されている（図７参照）。そして、フレキシブル配線基板４の他端側が筐体１に取り付けられたとき、このアース部１７が筐体１に対して面接触し、フレキシブル配線基板４を用いたアースが行われる。筐体１は、この筐体１がスライドするレールを介して画像読取装置の装置本体に対して導通状態とされている。
【００２３】
このような構成において、この画像読取装置では、駆動電圧生成部で生成されたパルス形状の駆動電圧がハーネス１０及びフレキシブル配線基板４を介して光源２に印加される。
【００２４】
そして、光源２に対して駆動電圧を印加したときに電波ノイズが発生すると、この電波ノイズはフレキシブル配線基板４のアース部１７から筐体１やレールを介して装置本体へ逃げる。これにより、光源２周りのＥＭＩ対策を行うことができ、電波ノイズの影響による画像読取精度の低下を防止することができる。
【００２５】
しかも、このフレキシブル配線基板４を用いたアースにおいては、アースパターン１４と一体に形成されているアース部１７は筐体１に対して面接触するので、その接触面が大きくなり、アースを有効に行える。さらに、フレキシブル配線基板４を筐体１に取り付けたとき、その取り付けに伴ってアース部１７が筐体１に強固に接触するので、アースを確実に行える。
【００２６】
そして、このフレキシブル配線基板４を用いたアースを行うことにより、従来例で説明したように、ＥＭＩ対策のために、駆動電圧生成部を光源２に近接させて筐体１上に取り付けるという必要がなくなり、筐体１を駆動させる場合にトルクの小さなモータを使用することができ、モータ自体のコストアップ、モータを駆動させるための消費電力のコストアップを抑えることができる。
【００２７】
【発明の効果】
本発明の画像読取装置によれば、光源へ駆動電圧を印加するためのフレキシブル配線基板を用いて光源を保持する筐体へのアースを行うので、フレキシブル配線基板を介して光源に駆動電圧を印加したときに電波ノイズが発生すると、その電波ノイズはフレキシブル配線基板のアース部分から光源を保持する筐体、さらには、この筐体に導通されている装置本体などへ逃げるので、光源周りのＥＭＩ対策を行うことができ、しかも、ＥＭＩ対策のために駆動電圧生成部を光源に近接させて筐体上に取り付けるという必要がないので、筐体を駆動させる場合にトルクの小さなモータを使用することができ、モータ自体のコストアップ、モータを駆動させるための消費電力のコストアップを抑えることができる。
【００２８】
また、本発明によれば、フレキシブル配線基板中のアースパターンが筐体に接続されているので、この接続部分から電波ノイズをアース側へ逃がすことができる。
【００２９】
さらに、本発明によれば、フレキシブル配線基板の筐体への取付箇所に補強板が取り付けられ、この補強板の筐体への取付面側に回り込んで露出されたアース部がアースパターンに連続して形成されているので、補強版の箇所でフレキシブル配線基板を筐体に取り付けると、その取り付けに伴ってアース部が筐体に接触し、しかも、その接触は、フレキシブル配線基板の筐体への取り付けにより強固なものとなり、アースを確実に行うことができる。
【図面の簡単な説明】
【図１】本発明の一実施の形態の画像読取装置の要部を示す分解斜視図である。
【図２】画像読取装置の一部であるフレキシブル配線基板を示すもので、（ａ）は平面図、（ｂ）は正面図である。
【図３】フレキシブル配線基板の一端側に取り付けられている補強板を示す平面図である。
【図４】フレキシブル配線基板の他端側に取り付けられている補強板を示す平面図である。
【図５】フレキシブル配線基板中のアースパターンに連続して形成されたアース部を展開して示す平面図である。
【図６】図２（ａ）におけるＡ−Ａ線断面部を示す模式図である。
【図７】図２（ａ）におけるＢ−Ｂ線断面部を示す模式図である。
【符号の説明】
１      筐体
２      光源
４      フレキシブル配線基板
８      補強板
１４      アースパターン
１７      アース部
【図１】
0003798629.tif 000002
【図２】
0003798629.tif 000003
【図３】
0003798629.tif 000004
【図４】
0003798629.tif 000005
【図５】
0003798629.tif 000006
【図６】
0003798629.tif 000007
【図７】
0003798629.tif 000008